(57)【要約】【課題】  口栓付き液体用紙容器の口栓を液体用紙容器本体から容易に切り取ることができ、また、口栓を切り取った後の液体用紙容器本体をそのまま紙資源として有効に利用できるようにした口栓切り取り治具を得る。【解決手段】  筒状に開口させた液体用紙容器本体の上部開口部内に挿入される受枠体２と、口栓が取り付けられた上面パネルの外面に押し当て、口栓の周囲を切断する切り取り体３とからなり、受枠体２は、口栓が取り付けられた上面パネルの内面に当接する受け面４を有し、受け面４に、上面パネルに接着されている口栓の下部に設けられているフランジ部を内部に囲う大きさに開口した孔部５を形成し、切り取り体３は、口栓を内部に収納可能な筒状部８の先端側開口部９の周囲で、少なくとも受け面４に形成した孔部５内に納まり且つフランジ部の外径より大きい径内に先端が鋭利な刃部１０を一枚以上、刃の向きを周方向に向けて突出するように設けた。【選択図】    図１
2019115942.tif 000002
【特許請求の範囲】
【請求項１】
口栓付き液体用紙容器の口栓を液体用紙容器本体から切り取る口栓切り取り治具であって、液体用紙容器本体の上部を形成する４枚の上面パネルのシール部を剥離し、押し広げて四角の筒状に開口させた上部開口部内に挿入される受枠体と、前記口栓が取り付けられた上面パネルの外面に押し当て、上面パネルにおける前記口栓の周囲を切断する切り取り体とからなり、
前記受枠体は、前記口栓が取り付けられた上面パネルの内面に当接する受け面を有し、該受け面には、前記上面パネルに接着されている前記口栓の下部に設けられているフランジ部を内部に囲う大きさに開口した孔部が形成されており、前記切り取り体は、前記口栓を内部に収納可能な筒状部の先端側開口部の周囲で、少なくとも前記受け面に形成された前記孔部内に納まり且つ前記フランジ部の外径より大きい径内に先端が鋭利な刃部が一枚以上、刃の向きを周方向に向けて突出するように設けられていることを特徴とする口栓切り取り治具。
【請求項２】
前記切り取り体の前記筒状部の先端側開口部の周囲に設けられた前記刃部は、その固定位置が径方向に調整可能となっていることを特徴とする請求項１に記載の口栓切り取り治具。
【請求項３】
前記受枠体は、前記液体用紙容器本体の上部を押し広げて開口させた四角の筒状と相似形の筒状体に形成され、前記筒状体の一壁面を前記受け面とし、前記筒状体の一端側開口端部には、前記液体用紙容器本体の前記上部開口部の端部に係止する係止片が設けられており、前記上部開口部内に挿入した前記筒状体の前記係止片が前記液体用紙容器本体の上部開口端部に係止したとき、前記受け面に開口する前記孔部内に、前記口栓が位置するように位置決めされていることを特徴とする請求項１又は２に記載の口栓切り取り治具。
【請求項４】
前記切り取り体は、前記筒状部の外周に、前進して前記筒状部の先端側開口部に設けた前記刃部を内部に収納し、後退して前記刃部を外部に露出させる筒状カバーが前進後退可能に嵌合し、前記筒状カバーと前記筒状部との間に前記筒状カバーを前進方向に付勢するスプリングが設けられていることを特徴とする請求項１から３までのいずれか１に記載の口栓切り取り治具。
【請求項５】
前記切り取り体は、前記筒状部と前記筒状カバーとの間に、前記筒状部をその軸心を中心に回転させたとき、前記筒状カバーを一体に回転させる回転伝達機構が設けられていることを特徴とする請求項１から４までのいずれか１に記載の口栓切り取り治具。
【発明の詳細な説明】
【技術分野】
【０００１】
本発明は、口栓付き液体用紙容器の口栓を液体用紙容器本体から切り取る口栓切り取り治具に関する。
【背景技術】
【０００２】
牛乳、お茶、ジュース、酒などの液体飲料、醤油や酢などの調味料や油などの食用液体などの液体を収容する容器として、上部に口栓が取り付けられた口栓付き液体用紙容器が広く用いられている。これらの口栓付き液体用紙容器は、環境保全といった問題や、資源の再利用といった点から、使用後には液体用紙容器本体と口栓に分別して収集するといったことが行われている。
【０００３】
しかし、液体用紙容器本体と口栓との分別にあっては、口栓が液体用紙容器本体の上面に強固に溶着しているため容易に分別できない。そのため、ハサミやカッターナイフ等を使用し液体用紙容器本体に溶着されている上面の口栓の周囲を切断して切り取るといったことが行われているが、安全性に欠け怪我するおそれがある。
【０００４】
そこで、口栓付き液体用紙容器の口栓を液体用紙容器本体から容易に且つ安全に切り取ることができるものとして、従来、治具本体と押し棒とカッターからなり、治具本体には、液体用紙容器本体に取り付けられている口栓を収容する下が開放された口栓収納部と、該口栓収納部に収納された口栓の下部をカッターが切断するように誘導するためのガイドと、押し棒が通り、口栓収容部に上方から連通する貫通孔を有する口栓切り取り治具が提案されている（例えば、特許文献１参照。）。
【０００５】
特許文献１に記載されている口栓切り取り治具では、治具本体を液体用紙容器本体に取り付けられている口栓に被せ、口栓を口栓収納部に収容した状態で、カッターをガイドに沿って押し込むことにより、液体用紙容器本体に取り付けられている口栓の根元部分を切断し、根元部分より上の口栓を切り取るようになっている。
【先行技術文献】
【特許文献】
【０００６】
【特許文献１】特開２０１４−１２３０５号公報
【発明の概要】
【発明が解決しようとする課題】
【０００７】
特許文献１に記載されている口栓切り取り治具による口栓の切り取りは、カッターをガイドに沿って押し込むことにより、液体用紙容器本体に取り付けられている口栓の根元部分を切断し、根元部分より上の口栓を切り取るようになっているが、口栓は一般にプラスチック製で成形されているため、切断には強い力が必要となり、またカッターも強度を有し且つ鋭利な刃先を有するものが求められる。
【０００８】
また、切り取られる口栓は、根元部分より上の部分が切り取られるため、液体用紙容器本体には口栓の根元部分から下の部分が残っているため、口栓を切り取った後の液体用紙容器本体をそのまま紙資源として利用することに問題がある。
【０００９】
本発明の目的は、口栓付き液体用紙容器の口栓を液体用紙容器本体から容易に切り取ることができ、また、口栓を切り取った後の液体用紙容器本体をそのまま紙資源として利用し易くした口栓切り取り治具を提供することにある。
【課題を解決するための手段】
【００１０】
上記の目的を達成するために、請求項１に記載の発明は、口栓付き液体用紙容器の口栓を液体用紙容器本体から切り取る口栓切り取り治具であって、液体用紙容器本体の上部を形成する４枚の上面パネルのシール部を剥離し、押し広げて四角の筒状に開口させた上部開口部内に挿入される受枠体と、前記口栓が取り付けられた上面パネルの外面に押し当て、上面パネルにおける前記口栓の周囲を切断する切り取り体とからなり、前記受枠体は、前記口栓が取り付けられた上面パネルの内面に当接する受け面を有し、該受け面には、前記上面パネルに接着されている前記口栓の下部に設けられているフランジ部を内部に囲う大きさに開口した孔部が形成されており、前記切り取り体は、前記口栓を内部に収納可能な筒状部の先端側開口部の周囲で、少なくとも前記受け面に形成された前記孔部内に納まり且つ前記フランジ部の外径より大きい径内に先端が鋭利な刃部が一枚以上、刃の向きを周方向に向けて突出するように設けられていることを特徴とする。
【００１１】
請求項１に記載の発明によれば、液体用紙容器本体の上部を形成する４枚の上面パネルのシール部を剥離し、押し広げて四角の筒状に開口させた上部開口部内に前記受枠体を、前記受枠体が有する前記口栓を内部に囲う大きさに開口した前記孔部が形成されている前記受け面を前記口栓が取り付けられた上面パネルの内面に当接させるようにして挿入し、そして、前記切り取り体の前記先端側開口部から前記筒状部内に前記口栓を収納するようにして、前記切り取り体の先端を前記口栓が取り付けられた前記上面パネルの外面に押し当て、その先端側開口部の周囲に設けられている刃部を垂直方向に押し込んで前記上面パネルに突き刺し、この状態で前記切り取り体をその軸心を中心に回転させるといった簡単な操作により、前記上面パネルの前記口栓が取り付けられた周囲が切断され、前記液体用紙容器本体から前記口栓を切り取ることができる。
【００１２】
このとき、前記筒状部の先端側開口部の周囲に設けられている前記刃部は、少なくとも前記受け面に形成された前記孔部内に納まり且つ前記フランジ部の外径より大きい径内に設けられているので、前記刃部は前記受枠体の前記受け面に形成した前記孔部内で且つ前記フランジ部の外側に位置することになり、前記上面パネルに確実に突き刺さる。
【００１３】
前記上面パネルにおける前記口栓が取り付けられた周囲の切断に際しては、前記上面パネルが、その内外面を前記受枠体の前記受け面と前記切り取り体の先端とで挟まれ押さえられた状態で切断されるので、安定した状態で容易に且つ確実に切断することができる。
【００１４】
また、前記口栓を切り取った後の液体用紙容器本体には、特許文献１に記載された口栓切り取り治具のような口栓の一部が残るといったことがないので、口栓を切り取った後の液体用紙容器本体をそのまま紙資源として有効に利用できる。
【００１５】
請求項２に記載の発明は、請求項１に記載の、前記切り取り体の前記筒状部の先端側開口部の周囲に設けられた前記刃部は、その固定位置が径方向に調整可能となっていることを特徴とする。
【００１６】
請求項２に記載の発明によれば、前記切り取り体の前記筒状部の先端側開口部の周囲に設けられた前記刃部は、その固定位置が径方向に調整可能となっているので、前記口栓の下部に設けられているフランジ部の外径に応じて、調整することにより、口栓とともに切り取る液体用紙容器本体の切り取り量を極力少なくすることができ、口栓を切り取った後の液体用紙容器本体を紙資源として有効に利用できる。
【００１７】
請求項３に記載の発明は、請求項１又は２に記載の、前記受枠体は、前記液体用紙容器本体の上部を押し広げて開口させた四角の筒状と相似形の筒状体に形成され、前記筒状体の一壁面を前記受け面とし、前記筒状体の一端側開口端部には、前記液体用紙容器本体の前記上部開口部の端部に係止する係止片が設けられており、前記上部開口部内に挿入した前記筒状体の前記係止片が前記液体用紙容器本体の上部開口端部に係止したとき、前記受け面に開口する前記孔部内に、前記口栓が位置するように位置決めされていることを特徴とする。
【００１８】
請求項３に記載の発明によれば、前記受枠体は、前記液体用紙容器本体の上部を押し広げて開口させた四角の筒状と相似形の筒状体に形成されているので、前記受枠体が挿入された前記液体用紙容器本体の上部は、その４面が前記受枠体により内側から支えられることになり、前記切り取り体の先端を前記口栓が取り付けられた前記上面パネルの外面に押し当てたときの前記液体用紙容器本体の上部が変形せず、前記上面パネルの前記口栓が取り付けられた周囲の切断を容易に行うことができる。
【００１９】
また、前記液体用紙容器本体の上部開口部内に挿入した前記受枠体の係止片を前記液体用紙容器本体の前記上部開口部の端部に係止させることにより、前記受け面に開口する前記孔部内に、前記口栓が位置するので、前記切り取り体の先端を前記口栓が取り付けられた前記上面パネルの外面に押し当てたとき、前記切り取り体の先端側開口部の周囲に設けられている前記刃部が前記液体用紙容器本体の上部開口部内に挿入されている前記受枠体の受け面に当たるおそれはなく、前記上面パネルの前記口栓が取り付けられた周囲を確実に切断することができる。
【００２０】
請求項４に記載の発明は、請求項１から３までのいずれか１に記載の、前記切り取り体は、前記筒状部の外周に、前進して前記筒状部の先端側開口部に設けた前記刃部を内部に収納し、後退して前記刃部を外部に露出させる筒状カバーが前進後退可能に嵌合し、前記筒状カバーと前記筒状部との間に前記筒状カバーを前進方向に付勢するスプリングが設けられていることを特徴とする。
【００２１】
請求項４に記載の発明によれば、不使用時には前記筒状部の先端側開口部に設けた前記刃部が前記スプリングの付勢により前進している前記筒状カバーの内部に収納されており、使用時に、前記切り取り体の先端を前記上面パネルの外面に押し当てることにより、前記筒状カバーが後退し前記刃部を露出させ前記上面パネルに突き刺さすことができるので、前記液体用紙容器本体からの前記口栓の切り取りを安全に行うことができる。
【００２２】
請求項５に記載の発明は、請求項１から４までのいずれか１に記載の、前記切り取り体は、前記筒状部と前記筒状カバーとの間に、前記筒状部をその軸心を中心に回転させたとき、前記筒状カバーを一体に回転させる回転伝達機構が設けられていることを特徴とする。
【００２３】
請求項５に記載の発明によれば、前記切り取り体の先端を前記口栓が取り付けられた前記上面パネルの外面に押し当て、その先端側開口部の周囲に設けられている刃部を前記上面パネルに突き刺し、この状態で前記切り取り体を回転させたとき、前記筒状カバーは前記筒状部と前記筒状カバーとの間に設けられた回転伝達機構により、前記筒状部と一体となって回転するので、前記筒状カバーが前記切り取り体の回転の妨げにはならず、前記上面パネルの前記口栓が取り付けられた周囲の切断を容易に行うことができる。
【発明の効果】
【００２４】
本発明に係る口栓切り取り治具によれば、簡単な操作により、口栓付き液体用紙容器における口栓が取り付けられた上面パネルの口栓の周囲を切断し、口栓付き液体用紙容器の口栓を液体用紙容器本体から容易に切り取ることができ、また、口栓を切り取った後の液体用紙容器本体をそのまま紙資源として有効に利用できる。
【図面の簡単な説明】
【００２５】
【図１】本発明に係る口栓切り取り治具の実施の形態の一例を示す断面図である。
【図２】図１に示す口栓切り取り治具の受枠体を示す拡大斜視図である。
【図３】図１に示す口栓切り取り治具の筒状カバー及びスプリングを省略した切り取り体を示す拡大斜視図である。
【図４】図１に示す口栓切り取り治具の筒状カバーを示す拡大斜視図である。
【図５】切り取り体の他例を示す拡大断面説明図である。
【図６】本発明に係る口栓切り取り治具が用いられて口栓が切り取られる口栓付き液体用紙容器の一例を示す斜視図である。
【図７】図６に示す口栓付き液体用紙容器の口栓を図１に示す口栓切り取り治具で切り取る状態を示した断面説明図である。
【図８】図６に示す口栓付き液体用紙容器から口栓を切り取った状態を示す説明図である。
【発明を実施するための形態】
【００２６】
以下、本発明に係る口栓切り取り治具の実施の形態を図面により詳細に説明する。
図１は本発明に係る口栓切り取り治具の実施の形態の一例を示す断面図、図２は図１に示す口栓切り取り治具の受枠体を示す拡大斜視図、図３は図１に示す口栓切り取り治具の筒状カバー及びスプリングを省略した切り取り体を示す拡大斜視図、図４は図１に示す口栓切り取り治具の筒状カバーを示す拡大斜視図、図５は切り取り体の他例を示す拡大断面説明図、図６は本発明に係る口栓切り取り治具が用いられて口栓が切り取られる口栓付き液体用紙容器の一例を示す斜視図、図７は図６に示す口栓付き液体用紙容器の口栓を図１に示す口栓切り取り治具で切り取る状態を示した断面説明図、図８は図６に示す口栓付き液体用紙容器から口栓を切り取った状態を示す説明図である。
【００２７】
本発明は、上部に口栓を有する口栓付き液体用紙容器の口栓を液体用紙容器本体から切り取る口栓切り取り治具である。本発明が使用される口栓付き液体用紙容器にあっては、液体用紙容器本体の胴部が断面四角形の筒状に形成され、胴部の上端に連設されている４枚の上面パネルを折り込んで上部が形成された、切妻屋根型（ゲーブルトップ型）の液体用紙容器、平屋根型（フラットトップ型）の液体用紙容器、片屋根型の液体用紙容器といった液体用紙容器が対象となる。
【００２８】
本例の口栓切り取り治具１は、口栓付き液体用紙容器１００における液体用紙容器本体１０１の上部１０２を形成する４枚の上面パネル１０３のシール部１０４を剥離し、押し広げて四角の筒状に開口させた上部開口部１０５内に挿入される受枠体２と、口栓１０６が取り付けられた上面パネル１０３ａの外面に押し当て、上面パネル１０３ａにおける口栓１０６の周囲を切断する切り取り体３とからなる。
【００２９】
受枠体２は、口栓１０６が取り付けられた上面パネル１０３ａの内面に当接する受け面４を有し、受け面４には、口栓１０６の下部に設けられているフランジ部１０７を内部に囲う大きさに開口した孔部５が形成されている。
【００３０】
本例では、受枠体２は、液体用紙容器本体１０１の上部１０２を押し広げて開口させた四角の筒状と相似形の筒状体６に形成され、筒状体６の一壁面を受け面４としている。また、筒状体６の一端側開口端部には、液体用紙容器本体１０１の上部開口部１０５の端部に係止する係止片７が設けられており、上部開口部１０５内に挿入した筒状体６の係止片７が液体用紙容器本体１０１の上部開口１０５の端部に係止したとき、受け面４に開口する孔部５内に、液体用紙容器本体１０１の上面パネル１０３ａに取り付けられている口栓１０６が位置するように位置決めされている。また、筒状体６の他端側開口端部は、上部開口部１０５内に挿入し易くするために錐形に形成されている。
【００３１】
切り取り体３は、口栓１０６を内部に収納可能な筒状部８の先端部８ａの先端側開口部９の周囲で、少なくとも受け面４に形成された孔部５内に納まり且つフランジ部１０７の外径より大きい径内に先端が鋭利な刃部１０が一枚以上、刃の向きを周方向に向けて先端部１０ａが筒状部８の先端から突出するように設けられている。
【００３２】
本例では、切り取り体３は、筒状部８の先端部８ａが刃部取付部１１となっている。刃部取付部１１は、その外径が孔部５内に納まる外径となっており、その外周面は多角形に形成されている。そして、その各面が刃部固定面１２となり、それぞれの刃部固定面１２に刃部１０が、刃部取付部１１の先端から刃先を突出するように固定されている。
【００３３】
刃部１０を刃部固定面１２へ固定する手段にあっては特に限定されないが、本例では筒状部８の先端部８ａの刃部取付部１１に、雄ネジ１３ａが刃部固定面１２から突出して設けられ、刃部１０には雄ネジ１３ａを通す穴が設けられており、刃部１０の穴に雄ネジ１３ａを通し、そして、雄ネジ１３ａに螺合するネジ穴１３ｂを有する固定具１４で、雄ネジ１３ａに通した刃部１０を締め付けることにより固定されている。刃部１０を固定する刃部固定面１２は、刃部１０の幅より若干広幅となっており、刃部１０の固定、交換が容易に行えるようになっている。
また、本例では、刃部固定面１２に刃部１０を装着する装着溝１２ａが形成されおり、装着溝１２ａ内に刃部１０を装着し固定具１４で固定するようになっている。
【００３４】
図５は、切り取り体３の他例を示すものであり、筒状部８の先端部８ａの先端側開口部９の周囲に設けられた刃部１０は、その固定位置が径方向に調整可能となっている。
図５に示す切り取り体３では、刃部１０と装着溝１２ａとの間に入れるスペーサー２３が用意されており、刃部１０と装着溝１２ａとの間にスペーサー２３を入れ、また外すことにより、筒状部８の先端部８ａの先端側開口部９の周囲に設けられた刃部１０の固定位置を径方向に調整可能となっている。
【００３５】
固定具１４は、後述する刃部取付部１１を内部に納める筒状カバーに形成されたガイド溝内に係合可能な棒状体となっている。
本例では、刃部取付部１１の先端から突出する刃部１０の先端部１０ａは略三角形の刃形を有している。
また、本例では、筒状部８の先端部８ａより後端部側８ｂが刃部取付部１１となっている先端部８ａよりも小径となっており、筒状部８の後端には鍔状のグリップ１５が設けられている。
【００３６】
また、本例では、切り取り体３は、刃部取付部１１となっている先端部８ａの外周に、前進して刃部取付部１１に設けた刃部１０を内部に収納し、後退して刃部１０を外部に露出させる筒状カバー１６が前進後退可能に嵌合している。筒状カバー１６は、筒部１７と、筒部１７の後端側開口部を閉じる底板部１８とからなり、底板部１８の中央には刃部取付部１１より小径で、筒状部８の後端部側８ｂの外径より大径な孔部１９が設けられている。
【００３７】
筒状カバー１６は、筒部１７の先端側を先端部８ａ側に向けて、筒状部８の後端部側８ｂに孔部１９が嵌合しており、筒状カバー１６の前進は、底板部１８が刃部取付部１１の大径端部に当接することにより規制されるようになっている。筒部１７の筒長は、筒状カバー１６が前進し底板部１８が刃部取付部１１の大径端部に当接した位置で、刃部取付部１１に設けた刃部１０が筒部１７内に完全に収納できる長さとなっている。
そして、筒状カバー１６の底板部１８と切り取り体３の筒状部８の後端に設けられているグリップ１５との間には、筒状カバー１６を前進方向に付勢するスプリング２０が設けられている。
【００３８】
筒状カバー１６とスプリング２０は、本例では、筒状部８の後端からグリップ１５を外し、筒状部８の後端部側８ｂに筒状カバー１６を嵌合してから、筒状カバー１６の底板部１８と筒状部８の後端に位置させたグリップ１５との間にスプリング２０を装着し、グリップ１５を筒状部８の後端に固定している。
【００３９】
また、本例では、切り取り体３は、筒状部８と筒状カバー１６との間に、筒状部８をその軸心を中心に回転させたとき、筒状カバー１６を一体に回転させる回転伝達機構２１が設けられている。
【００４０】
回転伝達機構２１は、本例では、筒状カバー１６の筒部１７に、前記した刃部取付部１１の刃部固定面１２に刃部１０を固定する棒状の固定具１４が係合するガイド溝２２が形成されており、筒状部８を回転させたとき、固定具１４がガイド溝２２の溝壁に当接して筒状カバー１６を一体に回転させるようになっている。ガイド溝２２にあっては、筒状カバー１６の前進後退移動を妨げないように軸方向に伸びる長溝となっており、固定具１４はガイド溝２２内に長溝に沿って移動可能に係合している。
【００４１】
本例の口栓切り取り治具１による口栓付き液体用紙容器１００の口栓１０６の切り取りは次のようにして行われる。
口栓１０６の切り取る口栓付き液体用紙容器１００は、図５に示す切妻屋根型の口栓付き液体用紙容器１００で行った。
【００４２】
まず、口栓付き液体用紙容器１００における液体用紙容器本体１０１の上部１０２を形成する４枚の上面パネル１０３のシール部１０４を剥離し、押し広げて四角の筒状に開口させ、そして、液体用紙容器本体１０１の上部開口部１０５内に、受枠体２を、受け面４が液体用紙容器本体１０１の口栓１０６が取り付けられた上面パネル１０３ａの内面に当接する位置に向けて挿入する。
【００４３】
本例では、受枠体２は、液体用紙容器本体１０１の上部１０２を押し広げて開口させた四角の筒状と相似形の筒状体６に形成されているので、受枠体２が挿入された液体用紙容器本体１０１の上部開口部１０５は、その４面が受枠体２により内側から支えられることになり、後の行為として切り取り体３の先端を口栓１０６が取り付けられた上面パネル１０３ａの外面に押し当てたときの液体用紙容器本体１０１の上部開口部１０５が変形せず、上面パネル１０３ａの口栓１０６が取り付けられた周囲の切断を容易に行える。
【００４４】
また、本例では、受枠体２は、筒状体６の一端側開口端部に、液体用紙容器本体１０１の上部開口部１０５の端部に係止する係止片７が設けられており、上部開口部１０５内に挿入した筒状体６の係止片７が液体用紙容器本体１０１の上部開口部１０５の端部に係止したとき、受け面４に開口する孔部５内に、液体用紙容器本体１０１の上面パネル１０３ａに取り付けられている口栓１０６が位置するように位置決めされるようになっているので、液体用紙容器本体１０１の上部開口部１０５内に挿入した受枠体２の係止片７を液体用紙容器本体１０１の上部開口部１０５の端部に係止させることにより、受け面４に開口する孔部５内に、口栓１０６が位置することになる。
【００４５】
これにより、後の作業で、切り取り体３の先端を口栓１０６が取り付けられた上面パネル１０３ａの外面に押し当てたとき、切り取り体３の先端側開口部の周囲に設けられている刃部１０が液体用紙容器本体１０１の上部開口部１０５内に挿入されている受枠体２の受け面４に当たるおそれはなく、上面パネル１０３ａの口栓１０６が取り付けられた周囲を確実に切断することができる。
【００４６】
次に、液体用紙容器本体１０１の上面パネル１０３ａの外面に、切り取り体３の筒状部８の刃部取付部１１となっている先端部８ａを液体用紙容器本体１０１の上面パネル１０３ａに向け、筒状部８の先端側開口部９から筒状部８内に、即ち刃部取付部１１となっている先端部８ａ内に口栓１０６を納めるようにして、筒状部８の刃部取付部１１となっている先端部８ａを液体用紙容器本体１０１の上面パネル１０３ａに押し当てる。
【００４７】
本例では、刃部取付部１１となっている先端部８ａの外周に、前進して刃部取付部１１に設けた刃部１０を内部に収納し、後退して刃部１０を外部に露出させる筒状カバー１６が前進後退可能に嵌合し、スプリング２０に前進方向に付勢されて前進位置に移動しているので、筒状部８の刃部取付部１１となっている先端部８ａを液体用紙容器本体１０１の上面パネル１０３ａに押し当てる過程で、先ず、筒状カバー１６が上面パネル１０３ａに当接し、スプリング２０の弾発力に抗して後退する。筒状カバー１６の後退により刃部取付部１１に設けた刃部１０が露出し、上面パネル１０３ａに突き刺さる。
【００４８】
このとき、刃部１０が固定されている刃部取付部１１は、その外径が受枠体２の受け面４に形成した孔部５内に納まる外径となっているので、刃部取付部１１に固定されている刃部１０は受枠体２の受け面４に形成した孔部５内に位置することになり、上面パネル１０３ａに確実に突き刺さる。
【００４９】
本例では、刃部１０の先端部１０ａは略三角形の刃形形状を有するので、筒状部８の刃部取付部１１となっている先端部８ａを液体用紙容器本体１０１の上面パネル１０３ａに押し当てたとき、刃部１０が上面パネル１０３ａに容易に突き刺さる。
【００５０】
この状態から、切り取り体３をその軸心を中心に回転させることにより、上面パネル１０３ａの口栓１０６が取り付けられた周囲が刃部１０により切断される。上面パネル１０３ａの切断に際しては、上面パネル１０３ａが、その内外面を受枠体２の受け面４と切り取り体３の先端、即ち刃部取付部１１となっている先端部８ａの先端面とで挟まれ押さえられた状態で切断されるので、安定した状態で容易に且つ確実に切断できる。
このときの切り取り体３の回転は、筒状部８の先端部８ａの刃部取付部１１に取り付けた刃部１０の刃の向きに応じて、時計回り方向、或いは反時計回り方向に回転させる。
【００５１】
また、切り取り体３の他例として図５に示した切り取り体３によれば、刃部１０と装着溝１２ａとの間に入れるスペーサー２３が用意されており、刃部１０と装着溝１２ａとの間にスペーサー２３を入れ、また外すことにより、筒状部８の先端部８ａの先端側開口部９の周囲に設けられた刃部１０の固定位置を径方向に調整可能となっているので、口栓１０６の下部に設けられているフランジ部１０７の径に対応して刃部１０の固定位置を径方向に調整することにより、口栓１０６とともに切り取る液体用紙容器本体１０１の切り取り量を極力少なくすることができる。
【００５２】
また、本例では、切り取り体３を回転させたとき、筒状カバー１６は筒状部８と筒状カバー１６との間に設けられた回転伝達機構２１により、筒状部８と一体となって回転するので、筒状カバー１６が切り取り体３の回転の妨げにはならず、上面パネル１０３ａの口栓１０６が取り付けられた周囲の切断を容易に行える。
【００５３】
このようにして、口栓付き液体用紙容器１００の口栓１０６を液体用紙容器本体１０１から切り取ることができる。切り取られた口栓１０６は、筒状部８内に、即ち刃部取付部１１となっている先端部８ａ内に残るが、筒状部８の先端を下方に向けることにより取り出すことができる。引っかかって取り出し難い場合は、筒状部８の後端側から筒状部８内に細い棒などを差し込むことにより、簡単に取り出すことができる。
【符号の説明】
【００５４】
１  口栓切り取り治具
２  受枠体
３  切り取り体
４  受け面
５  孔部
６  筒状体
７  係止片
８  筒状部
８ａ  先端部
８ｂ  後端部側
９  先端側開口部
１０  刃部
１０ａ  先端部
１１  刃部取付部
１２  刃部固定面
１２ａ  装着溝
１３ａ  雄ネジ
１３ｂ  ネジ穴
１４  固定具
１５  グリップ
１６  筒状カバー
１７  筒部
１８  底板部
１９  孔部
２０  スプリング
２１  回転伝達機構
２２  ガイド溝
２３  スペーサー
１００  口栓付き液体用紙容器
１０１  液体用紙容器本体
１０２  上部
１０３、１０３ａ  上面パネル
１０４  シール部
１０５  上部開口部
１０６  口栓
１０７  フランジ部
【図１】
2019115942.tif 000003
【図２】
2019115942.tif 000004
【図３】
2019115942.tif 000005
【図４】
2019115942.tif 000006
【図５】
2019115942.tif 000007
【図６】
2019115942.tif 000008
【図７】
2019115942.tif 000009
【図８】
2019115942.tif 000010